(57)【特許請求の範囲】
【請求項１】
本体に吸込口と吹出口とを備え、前記吸込口と前記吹出口とを結ぶ空気通路に熱交換器とクロスフローファンとを配置し、前記熱交換器で冷媒と熱交換された調和空気を前記吹出口から吹き出す空気調和機であって、
前記熱交換器の上流であって前記吸込口に臨む位置に、前記熱交換器の下端に噴出口をけた導入ノズルを設け、前記本体内の一側部に送風機と、前記導入ノズルと前記送風機とを結び、同送風機からの空気を前記導入ノズルに供給する送風ダクトとを配置し、
前記導入ノズルから送出された空気によって前記吸込口から吸い込まれた空気の一部を熱交換器の下部に誘引することを特徴とする空気調和機。
【請求項２】
また、前記熱交換器が、前部熱交換部と後部熱交換部とを有してΛ（ラムダ）状に形成され、前記導入ノズルが、前記前部熱交換部の熱交換器の下端に噴出口を向けた前部熱交換部の導入ノズルと、前記後部熱交換部の熱交換器の下端に噴出口を向けた後部熱交換部の導入ノズルとからなり、前記送風ダクトが、前記前部熱交換部の導入ノズルと前記送風機とを結ぶ前部熱交換部の送風ダクトと、前記後部熱交換部の導入ノズルと前記送風機とを結ぶ後部熱交換部の送風ダクトとからなることを特徴とする請求項１に記載の空気調和機。
【発明の詳細な説明】
【技術分野】
【０００１】
本発明は、空気調和機に係わり、より詳細には、吸込口から吸い込まれる空気を熱交換器に万遍なく行き届かせる構造に関するものである。
【背景技術】
【０００２】
従来の空気調和機は、図５（Ａ）および図５（Ｂ）に示すように、吸込口１０１と吹出口１０２とを結ぶ空気通路に、エアフィルタ１０３と熱交換器１０４と送風ファン１０５とを備え、空気通路に室外空気を導入する換気装置１０６を備えてなるものにおいて、換気装置１０６が、室外空気を吸込口１０１に導く換気口１０７と、換気口１０７に連通して吸込口１０１から吸い込まれる室内空気の流通に影響を与えないように設けられ、吸込口１０１に室外空気を供給する換気孔１０８を備えた換気ダクト１０９とを備えた構成が開示されている。
【０００３】
これにより、吸込口１０１における室内空気吸込時の空気抵抗を増加させることなく、室外空気が熱交換器１０６の上流側に偏りなく供給されることにより熱交換のバランスを崩すことがないようにしている（例えば、特許文献１）。
【０００４】
しかしながら、上述した換気装置１０６においては、換気ダクト１０９によって熱交換器１０６の上流側に偏りなく室外空気を供給できるが、熱交換器１０６の下端部およびその近傍まで空気を送ることができないという問題点を有していた。
【先行技術文献】
【特許文献】
【０００５】
【特許文献１】特開２００６−５２８７６号公報
【発明の概要】
【発明が解決しようとする課題】
【０００６】
本発明は、上記問題点に鑑み、吸込口から吸い込んだ空気を熱交換器の下端部およびその近傍まで行き届かせて熱交換器の下端部での熱交換効率を向上させた空気調和機を提供することを目的とする。
【課題を解決するための手段】
【０００７】
上述した目的を達成するため、本発明は以下に示す特徴を備えている。
【０００８】
本体に吸込口と吹出口とを備え、前記吸込口と前記吹出口とを結ぶ空気通路に熱交換器とクロスフローファンとを配置し、前記熱交換器で冷媒と熱交換された調和空気を前記吹出口から吹き出す空気調和機であって、
前記熱交換器の上流に、前記熱交換器の下端に噴出口を向けた導入ノズルを設け、前記本体内の一側部に送風機と、前記導入ノズルと前記送風機とを結び、同送風機からの空気を前記導入ノズルに供給する送風ダクトとを配置したことを特徴としている。
【０００９】
また、前記熱交換器が、前部熱交換部と後部熱交換部とを有してΛ（ラムダ）状に形成され、前記導入ノズルが、前記前部熱交換部の熱交換器の下端に噴出口を向けた前部熱交換部の導入ノズルと、前記後部熱交換部の熱交換器の下端に噴出口を向けた後部熱交換部の導入ノズルとからなり、前記送風ダクトが、前記前部熱交換部の導入ノズルと前記送風機とを結ぶ前部熱交換部の送風ダクトと、前記後部熱交換部の導入ノズルと前記送風機とを結ぶ後部熱交換部の送風ダクトとからなることを特徴としている。
【発明の効果】
【００１０】
本発明によれば、吸込口から吸い込んだ空気を熱交換器の下端部およびその近傍まで行き届かせて熱交換器の下端部での熱交換効率を向上させた空気調和機を提供できる。
【図面の簡単な説明】
【００１１】
【図１】本発明による空気調和機の分解斜視図である。
【図２】本発明による空気調和機の概念図である。
【図３】本発明による空気調和機の吸込口近傍の導入ノズルおよび吹出口からの水平吹き出しを示す説明図で、（Ａ）は断面図であり、（Ｂ）は要部説明図である。
【図４】本発明による空気調和機の吸込口近傍の導入ノズルおよび吹出口からの下方吹き出しを示す説明図で、（Ａ）は断面図であり、（Ｂ）および（Ｃ）は要部説明図である。
【図５】従来例による空気調和機の断面図である。
【発明を実施するための形態】
【００１２】
以下、本発明の実施の形態を、添付図面に基づいた実施例として詳細に説明する。
【００１３】
本発明による空気調和機は、図１乃至図４に示すように、開閉パネル１ｂを有する前面パネル１ａで覆われた本体１に吸込口２と吹出口３とを備え、吸込口２と吹出口３とを結ぶ空気通路に、吸込口２から吸い込まれた吸込空気を冷媒と熱交換する前部熱交換部４１と後部熱交換部４２とで側面視でΛ（ラムダ）状に形成された熱交換器４と、熱交換された調和空気を吹出口３に送出するクロスフローファン５とを備えている。
【００１４】
なお、図２は構成品の配置および接続状態等を示す概念図で、熱交換器４と、ファンケーシング７に収納したシロッコファン８と、吹出口３の上縁部３ａに設けた上側の吹出ノズル１２と、下縁部３ｂに設けた下側の吹出ノズル１３と、ファンケーシング７と上側の吹出ノズル１２および下側の吹出ノズル１３とを結ぶ送風ダクト１４，１５とを示すとともに、熱交換器４の上流である吸込口２の前縁部２ａに設置した前側の導入ノズル１６および後縁部２ｂに設置した後側の導入ノズル１８と、ファンケーシング７と前側の導入ノズル１６および後側の導入ノズル１８とを結ぶ送風ダクト１７，１９とを示している。
【００１５】
また、熱交換器４で冷媒と熱交換した空気を吹出口３から吹き出すクロスフローファン５と、熱交換器４の側部に配置されるファンケーシング７に収納されたシロッコファン８と、シロッコファン８から送風ダクト１４により空気が送られ吹出口３の上縁部３ａに設置した上側の吹出ノズル１２（図３および図４参照）と、上側の吹出ノズル１２の一側を支持するエアカプラ１４１と、送風ダクト１５により空気が送られ吹出口３の下縁部３ｂに設置した下側の吹出ノズル１３（図３および図４参照）と、下側の吹出ノズル１３の一側を支持するエアカプラ１５１と、上側の吹出ノズル１２の他側に連係されて上側の吹出ノズル１２を駆動する駆動モータ１２１および歯車１２２からなる連係部１２３と、下側の吹出ノズル１３の他側に連係されて下側の吹出ノズル１３を駆動する駆動モータ１３１および歯車１３２からなる連係部１３３とを示すとともに、シロッコファン８から送風ダクト１７により空気が送られる前側の導入ノズル１６（図３および図４参照）と、送風ダクト１９により空気が送られる後側の導入ノズル１８（図３および図４参照）とを示している。
【００１６】
吸込口２から吸い込まれた吸込空気は、熱交換器４で冷媒と熱交換されたのち、フロントガイダ９およびリヤガイダ１０と、フロントガイダ９およびリヤガイダ１０間の両側壁１１ａ，１１ｂとでガイドされて、ファンモータ６で駆動されるクロスフローファン５により、調和空気として吹出口３から吹き出されることで被空調室の空気調和が行われる。
【００１７】
吸込口２の前縁部２ａには、熱交換器４を構成する前部熱交換部４１の上下中央から、噴出口１６ａを前部熱交換部４１の下端側に向けた前側の導入ノズル１６が設置され、後縁部２ｂには、熱交換器４を構成する後部熱交換部４２の上下中央から、噴出口１８ａを後部熱交換部４２の下端側に向けた後側の導入ノズル１８が設置されている。
【００１８】
前側の導入ノズル１６を設置したことで、開閉パネル１ｂの裏面１ｃとの間隙が下方に行くにしたがって徐々に狭くなるためクロスフローファン５で空気を行き渡らせにくい前部熱交換部４１の下端部に空気を供給できるので、この前部熱交換部４１の下端部による熱交換効率を向上できるようになる。
【００１９】
また、後側の導入ノズル１８を設置したことで、背面板１ｄとの間隙が下方に行くにしたがって徐々に狭くなるためクロスフローファン５で空気を行き渡らせにくい後部熱交換部４２の下端部に空気を供給できるので、この後部熱交換部４２の下端部による熱交換効率を向上できるようになる。
【００２０】
本体１の前面下部に備えた吹出口３の上縁部３ａには、フロントガイダ９に連続して空気通路を延長するように中空で板状の上側の吹出ノズル１２が、吹出口３の下縁部３ｂには、リヤガイダ１０に連続して空気通路を延長するように中空で板状の下側の吹出ノズル１３がそれぞれ設置されている。
【００２１】
これにより、上側の吹出ノズル１２に設けられた後述する噴出口１２ａおよび下側の吹出ノズル１３に設けられた後述する噴出口１３ａから噴出した空気の流れを、上側の吹出ノズル１２および下側の吹出ノズル１３の表面に沿わせることにより、吹出口３から吹き出される調和空気が、上側の吹出ノズル１２および下側の吹出ノズル１３に直接当たらないようにすることで空気抵抗によるロスが生じないようにしている。
【００２２】
次に、熱交換器４の下端部に空気を供給できて、熱交換器４の下端部による熱交換効率を向上できるようになり、導入ノズル１６，１８から空気が噴出されることで、吸込口２から吸い込まれる空気が導入ノズル１６，１８からの空気に誘引されて熱交換器４の全域に空気が行き渡りやすくなり、また、吹出口３から吹き出される調和空気が、上側の吹出ノズル１２および下側の吹出ノズル１３により空気抵抗を減らし、且つ上下方向の風向を偏向できる構成について、順次、添付図に基づいて以下に説明する。
【００２３】
前側の導入ノズル１６および後側の導入ノズル１８は、図１乃至図４に示すように、吸込口２の前縁部２ａに設けられた前側の導入ノズル１６が、熱交換器４を構成する前部熱交換部４１の上下中央から下端側に噴出口１６ａを向けて開閉パネル１ｂの裏面１ｃに接合され、吸込口２の後縁部２ｂに設けられた後側の導入ノズル１８が、熱交換器４を構成する後部熱交換部４２の上下中央から下端側に噴出口１８ａを向けて背面板１ｄに接合されている。
【００２４】
また、前側の導入ノズル１６および後側の導入ノズル１８に空気を送るための後述するシロッコファン８と、吸気部７１および吐出部７２を有してシロッコファン８を収納するファンケーシング７とからなる送風機と、前側の導入ノズル１６および後側の導入ノズル１８とファンケーシング７とを結び、送風機からの空気を前側の導入ノズル１６および後側の導入ノズル１８に供給する送風ダクト１４および送風ダクト１５とを本体１内の一側部に配設することで、本体１の奥行き寸法が大型化しないようにしている。
【００２５】
前側の導入ノズル１６および後側の導入ノズル１８に空気を供給するためのファンケーシング７およびシロッコファン８と、後述する上側の吹出ノズル１２および下側の吹出ノズル１３に空気を供給するためのファンケーシング７およびシロッコファン８とは共通であって、同じシロッコファン８によって前側の導入ノズル１６および後側の導入ノズル１８と、上側の吹出ノズル１２および下側の吹出ノズル１３とに空気が供給される。ただし、これに限らず、図示しないシロッコファンを複数設け、前側の導入ノズル１６および後側の導入ノズル１８と、上側の吹出ノズル１２および下側の吹出ノズル１３とに空気が供給される構成であってもよい。また、ファンケーシング７およびシロッコファン８は本体１外の一側部に設けられてもよい。
【００２６】
次に、前側の導入ノズル１６および後側の導入ノズル１８からの空気によって吸込口２からの吸込空気を誘引する作用について説明する。
【００２７】
前側の導入ノズル１６および後側の導入ノズル１８にシロッコファン８によって送出された空気は、噴出口１６ａおよび噴出口１８ａから熱交換器４を構成する前部熱交換部４１および後部熱交換部４２の下端部に向けて噴出される。
【００２８】
その際、噴出口１６ａおよび噴出口１８ａから噴出される空気の速度を、クロスフローファン５によって吸込口２から吸い込まれる空気よりも高速に設定し、噴出口１６ａおよび噴出口１８ａから噴出された空気が開閉パネル１ｂの裏面１ｃや背面板１ｄに沿って流れるようにすることで、吸込口２から吸い込まれた空気の一部を、噴出口１６ａおよび噴出口１８ａから噴出された空気の流れで誘引することができる。
【００２９】
これにより、吸込口２からの吸込空気は、クロスフローファン５のみによる場合よりも増量される。また、その一部が前部熱交換部４１の下端およびその近傍と、後部熱交換部４２の下端およびその近傍とに行き届くようになる。なお、本実施例においては、開閉パネル１ｂの裏面１ｃや背面板１ｄの熱交換器４側は平面状になっていることが望ましいが、噴出口１６ａおよび噴出口１８ａから噴出された空気が沿って流れる形状であれば、これに限らない。
【００３０】
上側の吹出ノズル１２は、図１乃至図５に示すように、ファンケーシング７の吸気部７１から吸い込まれた空気を、シロッコファン８により送風ダクト１４で導いて、吹出ノズル１２の下面に形成した噴出口１２ａから噴出することにより、コアンダ面１２ｆによるコアンダ効果により下面のディフューザ部１２ｇをなすディフューザ面１２ｇ１に沿うように流出する。
【００３１】
同様に、下側の吹出ノズル１３は、吸気部７１から吸い込まれた空気を、送風ダクト１５で導いて吹出ノズル１３の上面に形成した噴出口１３ａから噴出することにより、コアンダ面１３ｆによるコアンダ効果により上面のディフューザ部１３ｇをなすディフューザ面１３ｇ１に沿うように流出する。
【００３２】
シロッコファン８は、吸込口２から吸い込まれた空気の一部を吸気する吸気部７１と、送風ダクト１４，１５に夫々接続される吐出部７２，７３とを備えて、本体１内の側部に設けられたファンケーシング７内に収納されている。そのため、図３および図４に破線で示す風向制御用送風ファン１０９が、上述した背景技術と同様に本体１内の前面下部に設置される場合に較べて、この風向制御用送風ファン１０９を設置するスペースが不要になるため、本体１の奥行き寸法は図３および図４に示す寸法Ａだけ小型化できる。
【００３３】
シロッコファン８は、本体１内の一側部に設けられたファンモータ８１によって駆動される。なお、シロッコファン８は、クロスフローファン５と同軸状に配置されることで、シロッコファン８用のファンモータ８１に代えて、クロスフローファン５を駆動するファンモータ５１によって駆動されるようにしてもよい。
【００３４】
図５に示すように、上側の吹出ノズル１２は、中空で板状に形成されその下面のディフューザ部１２ｇおよびコアンダ面１２ｆの後部熱交換部から吹出口３の前方に向けた噴出口１２ａを有して、フロントガイダ９に連続した送風路を構成し、下側の吹出ノズル１３は、中空で板状に形成されその上面のディフューザ部１３ｇおよびコアンダ面１３ｆの後部熱交換部から吹出口３の前方に向けた噴出口１３ａを有して、リヤガイダ１０に連続した送風路を構成している。
【００３５】
上側の吹出ノズル１２は、一側を吹出口３の上部に設けた枢支部１２４で回動可能に枢支し、他側を送風ダクト１４に連結されたエアカプラ１４１で回動可能に枢支して、上下方向に回動できるようにしている。下側の吹出ノズル１３は、一側を吹出口３の下部に設けた枢支部１３４で回動可能に枢支し、他側を送風ダクト１５に連結されたエアカプラ１５１で回動可能に枢支して、上下方向に回動できるようにしている。
【００３６】
上側の吹出ノズル１２は、図２および図３（Ｂ）に示すように、枢支部１２４およびエアカプラ１４１で回動可能に枢支され、歯車１２２からなる連係部１２３に連係された駆動モータ１２１で駆動されて上下方向に回動し、下側の吹出ノズル１３は、図２および図４（Ｂ）に示すように、枢支部１３４およびエアカプラ１５１で回動可能に枢支され、歯車１３２からなる連係部１３３に連係された駆動モータ１３１で駆動されて上下方向に回動する。
【００３７】
上側の吹出ノズル１２の後端部には、図５に示すように、内壁１２ｂと外壁１２ｃとが互いに近づくようにループ状または折曲げ形状で配置されている。内壁１２ｂと外壁１２ｃとの間には、空気を高速で噴出させるための噴出口１２ａが、中空になっている吹出ノズル１２の内部から下方のコアンダ面１２ｆに向かって入口側１２ｄから徐々に狭くする間隔が形成され、その間隙はこのコアンダ面１２ｆで出口側１２ｅが開口するように形成されている。
【００３８】
上側の吹出ノズル１２の中空部より狭く形成された噴出口１２ａの出口側１２ｅは、コアンダ面１２ｆを含む外壁１２ｃの表面に連続して形成されている。噴出口１２ａの外壁１２ｃは、コアンダ面１２ｆの下流側に配置されたディフューザ部１２ｇと、ディフューザ部１２ｇの下流側に配置されたガイド部１２ｈに連続している。
【００３９】
シロッコファン８によって、上側の吹出ノズル１２に形成された噴出口１２ａからコアンダ面１２ｆおよびディフューザ部１２ｇに沿うように噴出される空気は、吹出口３からクロスフローファン５によって吹き出される調和空気流よりも速い速度で噴出することで、この調和空気流がディフューザ部１２ｇの表面寄りに誘引される。
【００４０】
下側の吹出ノズル１３の後端部には、図５に示すように、内壁１３ｂと外壁１３ｃとが互いに近づくようにループ状または折曲げ形状で配置されている。内壁１３ｂと外壁１３ｃとの間には、空気を高速で噴出させるための噴出口１３ａが、中空になっている吹出ノズル１３の内部から上方のコアンダ面１３ｆに向かって入口側１３ｄから徐々に狭くする間隔が形成され、その間隙はこのコアンダ面１３ｆで出口側１３ｅが開口するように形成されている。
【００４１】
下側の吹出ノズル１３の中空部より狭く形成された噴出口１３ａの出口側１３ｅは、コアンダ面１３ｆを含む外壁１３ｃの表面に連続して形成されている。噴出口１３ａの外壁１３ｃは、コアンダ面１３ｆの下流側に配置されたディフューザ部１３ｇと、ディフューザ部１３ｇの下流側に配置されたガイド部１３ｈに連続している。
【００４２】
シロッコファン８によって、下側の吹出ノズル１３に形成された噴出口１３ａからコアンダ面１３ｆおよびディフューザ部１３ｇに沿うように噴出される空気は、吹出口３からクロスフローファン５によって吹き出される調和空気流よりも速い速度で噴出することで、この調和空気流がディフューザ部１３ｇの表面寄りに誘引される。
【００４３】
上側の吹出ノズル１２は、吹出口３の側に向けた噴出口１２ａに連続して凸曲面状に形成されたコアンダ面１２ｆを有しており、噴出口１２ａは、空気をコアンダ面１２ｆに沿って噴出するように配置されている。
【００４４】
下側の吹出ノズル１３は、吹出口３の側に向けた噴出口１３ａに連続して凸曲面状に形成されたコアンダ面１３ｆを有しており、噴出口１３ａは、空気をコアンダ面１３ｆに沿って噴出するように配置されている。
【００４５】
上側の吹出ノズル１２のコアンダ面１２ｆおよび下側の吹出ノズル１３のコアンダ面１３ｆは、これらコアンダ面１２ｆおよびコアンダ面１３ｆの表面に近接して設けられた噴出口１２ａおよび噴出口１３ａを出た空気（流体）の流れがコアンダ効果を示す、既知の形状になっている。噴出口１２ａおよび噴出口１３ａから噴出された空気（流体）は、コアンダ効果によって、コアンダ面１２ｆおよびコアンダ面１３ｆに沿ってほぼ「くっついて」または「貼りついて」流れようとする。
【００４６】
ここで、熱交換器４で冷媒と熱交換されて吹出口３から吹き出される調和空気を一次空気流とし、コアンダ面１２ｆおよびコアンダ面１３ｆによってコアンダ効果を示す噴出空気を二次空気流として、空気の流れについて以下に説明する。
【００４７】
「一次空気流の速度」＜「二次空気流の速度」とすることで、一次空気流が二次空気流に誘引されて風向偏向される。そのため、図３（Ａ）および図３（Ｂ）に示すように、上側の吹出ノズル１２を上方に回動することで、この吹出ノズル１２の表面ａ，ａ１，ａ２に沿ってほぼ「くっついて」または「貼りついて」流れようとする二次空気流に一次空気流が誘引されて、この一次空気の流れが上方に偏向される。
【００４８】
これにより、吹出口３から一次空気流として調和空気を水平に吹き出す際、調和空気の流れが上方に向けて偏向されることで遠方まで届くようになり、被空調室内の広範囲に調和空気を行き届かせて快適な空気調和を実現できるようになる。
【００４９】
その際、一次空気流が二次空気流に誘引されることで、例えば、吹出口３に設けられた図示しない上下風向板によって強制的に風向偏向される場合のように、一次空気流が上下風向板に当たって空気抵抗によるロスが生じる虞がないため送風性能が良好になり、また、騒音の原因になる虞がないため静かである。
【００５０】
なお、上側の吹出ノズル１２を上方に回動するのと同時に、下側の吹出ノズル１３を上方に回動して上側の吹出ノズル１２および下側の吹出ノズル１３を略平行状態にすることで、吹出口３から一次空気流として吹き出される調和空気を拡散させることなく効率よく遠方まで届かせることができる。
【００５１】
また、調和空気を下方に吹き出す際、図４（Ａ）および図４（Ｂ）に示すように下側の吹出ノズル１３を下方に回動することで、この吹出ノズル１３の表面ｂ，ｂ１，ｂ２に沿ってほぼ「くっついて」または「貼りついて」流れようとする二次空気流に一次空気流が誘引されて、この一次空気の流れが下方に向けて偏向される。
【００５２】
これにより、運転時に吹出口３から一次空気流として調和空気を吹き出した際、調和空気の流れが下方に向けて偏向されることで床面まで届くようになり、床面に調和空気を行き届かせて快適な空気調和を実現できるようになる。
【００５３】
その際、一次空気流が二次空気流に誘引されることで、例えば、吹出口３に設けられた図示しない上下風向板によって強制的に風向偏向される場合のように、一次空気流が上下風向板に当たって空気抵抗によるロスが生じる虞がないため送風性能が良好になり、また、騒音の原因になる虞がないため静かである。
【００５４】
なお、下側の吹出ノズル１３を下方に回動するのと同時に、上側の吹出ノズル１２を下方に回動して上側の吹出ノズル１２および下側の吹出ノズル１３を略平行状態にすることで、吹出口３から一次空気流として吹き出される調和空気を拡散させることなく効率よく床面まで届かせることができる。
【００５５】
または、上側の吹出ノズル１２に、図４（Ａ）および図４（Ｂ）に示すように小形の補助ルーバ２０を設けた構成にしてもよい。補助ルーバ２０は、枢支部２０４で回動可能に枢支され、歯車２０２からなる連係部２０３に連係された駆動モータ２０１で駆動されて下方に回動することで、噴出口１２ａから噴出した空気を下方に導いて、吹出口３から二次空気流として吹き出される調和空気の一部を下方に誘引できる。なお、小形の補助ルーバ２０は、図示はしないが、上側の吹出ノズル１２に限らずフロントガイダ９に設けられてもよい。
【００５６】
吹出口３に設けられた上側の吹出ノズル１２のディフューザ部１２ｇは、フロントガイダ９に連続するように形成されたディフューザ面１２ｇ１を有し、下側の吹出ノズル１３のディフューザ部１３ｇは、リヤガイダ１０に連続するように形成されたディフューザ面１３ｇ１を有している。
【００５７】
上側の吹出ノズル１２のガイド部１２ｈは、ディフューザ面１２ｇ１に対し角度をなして配置されたガイド面１２ｈ１を有しており、ガイド面１２ｈ１の下流側は、外方に拡がったフレア面１２ｉで終端している。また、下側の吹出ノズル１３のガイド部１３ｈは、ディフューザ面１３ｇ１に対し角度をなして配置されたガイド面１３ｈ１を有しており、ガイド面１３ｈ１の下流側は、外方に拡がったフレア面１３ｉで終端している。
【００５８】
上側の吹出ノズル１２のディフューザ部１２ｇおよび下側の吹出ノズル１３のディフューザ部１３ｇが、フロントガイダ９およびリヤガイダ１０に夫々連続するディフューザ面１２ｇ１およびディフューザ面１３ｇ１を有したことで、熱交換器４で冷媒と熱交換されクロスフローファン５の下流側に送出される調和空気は、フロントガイダ９に連続するディフューザ面１２ｇ１およびリヤガイダ１０に連続するディフューザ面１３ｇ１に沿って被空調室に吹き出される。
【００５９】
以上説明したように、本発明の構成によれば、熱交換器４の上流に、噴出口１６ａ，１８ａを前部熱交換部４１および、または後部熱交換部４２の下端側に向けた前側の導入ノズル１６および、または後側の導入ノズル１８が配置されることで、開閉パネル１ｂの裏面１ｃおよび背面板１ｄとの間隙が下方に行くにしたがって徐々に狭くなるためクロスフローファン５で空気を行き渡らせにくい前部熱交換部４１および、または後部熱交換部４２の下端部に空気を供給できるので、この前部熱交換部４１および、または後部熱交換部４２の下端部による熱交換効率を向上できる空気調和機となる。
【００６０】
また、噴出口１６ａおよび噴出口１８ａから噴出される空気の速度を、クロスフローファン５によって吸込口２から吸い込まれる空気よりも高速に設定し、噴出口１６ａおよび噴出口１８ａからの空気が開閉パネル１ｂの裏面１ｃや背面板１ｄに沿って流れることで、吸込口２からの空気の一部を、噴出口１６ａおよび噴出口１８ａから噴出された空気の流れで誘引することができて、吸込口２からの吸込空気は、クロスフローファン５のみによる場合よりも増量できる。
【符号の説明】
【００６１】
１  本体
１ａ  前面パネル
１ｂ  開閉パネル
１ｃ  開閉パネルの裏面
１ｄ  背面板
２  吸込口
２ａ  前縁部
２ｂ  後縁部
３  吹出口
３ａ  上縁部
３ｂ  下縁部
４  熱交換器
５  クロスフローファン
６  ファンモータ
７  ファンケーシング
７１  吸気部
７２，７３，７４，７５  吐出部
８  シロッコファン
８１  ファンモータ
９  フロントガイダ
１０  リヤガイダ
１１ａ，１１ｂ  両側壁
１２  上側の吹出ノズル
１２ａ  噴出口
１２ｂ  内壁
１２ｃ  外壁
１２ｄ  入口側
１２ｅ  出口側
１２ｆ  コアンダ面
１２ｇ  ディフューザ部
１２ｇ１  ディフューザ面
１２ｈ  ガイド部
１２ｈ１  ガイド面
１２ｉ  フレア面
１２１  駆動モータ
１２２  歯車
１２３  連係部
１２４  枢支部
１３  下側の吹出ノズル
１３ａ  噴出口
１３ｂ  内壁
１３ｃ  外壁
１３ｄ  入口側
１３ｅ  出口側
１３ｆ  コアンダ面
１３ｇ  ディフューザ部
１３ｇ１  ディフューザ面
１３ｈ  ガイド部
１３ｈ１  ガイド面
１３ｉ  フレア面
１３１  駆動モータ
１３２  歯車
１３３  連係部
１３４  枢支部
１４  送風ダクト
１４１  エアカプラ
１５  送風ダクト
１５１  エアカプラ
１６  前側の導入ノズル
１６ａ  噴出口
１７  送風ダクト
１８  後側の導入ノズル
１８ａ  噴出口
１９  送風ダクト
【図１】
0005891752.tif 000002
【図２】
0005891752.tif 000003
【図３】
0005891752.tif 000004
【図４】
0005891752.tif 000005
【図５】
0005891752.tif 000006